(57)【要約】  トランスポンダ（１３０）は、第１の伝送レートで送信されてきた特定の形式のデータを格納したＯＴＵフレームを生成する信号変換部（１３２）と、ＯＴＵフレームからＦＥＣデータを削除して、列方向に、予め定められたｍ個の格納フレームに分割し、ＦＥＣデータが削除された領域に、ＯＴＵフレームにおけるｍ個の格納フレームの各々の配列位置を示すスキュー情報を付加することで、ｍ個の分割フレームを生成する信号処理部（１３３）と、ｍ個の分割フレームの各々を、第２の伝送レートで送信する通信Ｉ／Ｆ部（１３４）とを備え、トランスポンダ（１４０）は、ｍ個の分割フレームの各々を受信する通信Ｉ／Ｆ部（１４１）と、スキュー情報を参照して、ｍ個の分割フレームの各々を結合したフレームを生成する信号処理部（１４３）と、生成されたフレームから、特定の形式のデータを抽出する信号変換部（１４４）とを備える。
2017154135.tif 000002
【特許請求の範囲】
【請求項１】
第１の伝送レートで送信されてきた特定の形式のデータを受信する第１のトランスポンダ、及び、ｍ本（ｍは２以上の整数）の光ファイバーで前記第１のトランスポンダに接続されている第２のトランスポンダを含む伝送システムであって、
前記第１のトランスポンダは、
前記第１の伝送レートで送信されてきた特定の形式のデータを受信する第１の受信部と、
前記第１の受信部で受信された特定の形式のデータを格納したＯＴＵフレームを生成する第１の信号変換部と、
前記第１の信号変換部で生成されたＯＴＵフレームからＦＥＣデータを削除して、列方向に、予め定められたｍ個の格納フレームに分割し、当該ｍ個の格納フレームの各々において前記ＦＥＣデータが削除された領域に、前記ＯＴＵフレームにおける当該ｍ個の格納フレームの各々の配列位置を示すスキュー情報を付加することで、ｍ個の分割フレームを生成する第１の信号処理部と、
前記第１の信号処理部で生成されたｍ個の分割フレームの各々を、第２の伝送レートで、前記ｍ本の光ファイバーの各々から前記第２のトランスポンダに送信する第１の送信部と、を備え、
前記第２のトランスポンダは、
前記第１の送信部から送信されたｍ個の分割フレームの各々を、前記ｍ本の光ファイバーの各々から受信する第２の受信部と、
前記第２の受信部で受信されたｍ個の分割フレームの各々に含まれているスキュー情報を参照して、前記第２の受信部で受信されたｍ個の分割フレームの各々を結合したフレームを生成する第２の信号処理部と、
前記第２の信号処理部で生成されたフレームから、前記特定の形式のデータを抽出する第２の信号変換部と、
前記第２の信号変換部で抽出された特定の形式のデータを前記第１の伝送レートで送信する第２の送信部と、を備えること
を特徴とする伝送システム。
【請求項２】
前記第１の信号処理部は、前記スキュー情報に加えて、前記ｍ個の格納フレームの各々から算出された誤り検出符号を、前記ＦＥＣデータが削除された領域に付加し、
前記第２の信号処理部は、前記第２の受信部で受信されたｍ個の分割フレームの各々に含まれている誤り検出符号を用いて、誤り検出を行うこと
を特徴とする請求項１に記載の伝送システム。
【請求項３】
第１の伝送レートで送信されてきた特定の形式のデータを受信する第１のトランスポンダ、及び、ｍ本（ｍは２以上の整数）の光ファイバーで前記第１のトランスポンダに接続されている第２のトランスポンダを含む伝送システムであって、
前記第１のトランスポンダは、
前記第１の伝送レートで送信されてきた特定の形式のデータを受信する第１の受信部と、
前記第１の受信部で受信された特定の形式のデータを格納したＯＴＵフレームを生成する第１の信号変換部と、
前記第１の信号変換部で生成されたＯＴＵフレームを、列方向に、予め定められたｍ個の格納フレームに分割し、当該ｍ個の格納フレームの各々の末尾に、前記ＯＴＵフレームにおける当該ｍ個の格納フレームの各々の配列位置を示すスキュー情報を付加することで、ｍ個の分割フレームを生成する第１の信号処理部と、
前記第１の信号処理部で生成されたｍ個の分割フレームの各々を、第２の伝送レートで、前記ｍ本の光ファイバーの各々から前記第２のトランスポンダに送信する第１の送信部と、を備え、
前記第２のトランスポンダは、
前記第１の送信部から送信されたｍ個の分割フレームの各々を、前記ｍ本の光ファイバーの各々から受信する第２の受信部と、
前記第２の受信部で受信されたｍ個の分割フレームの各々に含まれているスキュー情報を参照して、前記第２の受信部で受信されたｍ個の分割フレームの各々を結合することによりＯＴＵフレームを生成する第２の信号処理部と、
第２の信号処理部で生成されたＯＴＵフレームの誤り訂正を行うとともに、前記第２の信号処理部で生成されたＯＴＵフレームから、前記特定の形式のデータを抽出する第２の信号変換部と、
前記第２の信号変換部で抽出された特定の形式のデータを前記第１の伝送レートで送信する第２の送信部と、を備えること
を特徴とする伝送システム。
【請求項４】
第１の伝送レートで送信されてきた特定の形式のデータを受信する第１のトランスポンダ、及び、ｍ＋１本（ｍは２以上の整数）の光ファイバーで前記第１のトランスポンダに接続されている第２のトランスポンダを含む伝送システムであって、
前記第１のトランスポンダは、
前記第１の伝送レートで送信されてきた特定の形式のデータを受信する第１の受信部と、
前記第１の受信部で受信された特定の形式のデータを格納したＯＴＵフレームを生成する第１の信号変換部と、
前記第１の信号変換部で生成されたＯＴＵフレームを、列方向に、予め定められたｍ個のフレームに分割することで、ｍ個の分割フレームを生成するとともに、前記ＯＴＵフレームにおける当該ｍ個の分割フレームの各々の配列位置を示すスキュー情報を格納した１個のスキュー情報フレームを生成する第１の信号処理部と、
前記第１の信号処理部で生成されたｍ個の分割フレームの各々及び１個のスキュー情報フレームを、第２の伝送レートで、前記ｍ＋１本の光ファイバーの各々から前記第２のトランスポンダに送信する第１の送信部と、を備え、
前記第２のトランスポンダは、
前記第１の送信部から送信されたｍ個の分割フレームの各々及び１個のスキュー情報フレームを、前記ｍ＋１本の光ファイバーの各々から受信する第２の受信部と、
前記第２の受信部で受信されたスキュー情報フレームに格納されているスキュー情報を参照して、前記第２の受信部で受信されたｍ個の分割フレームの各々を結合することによりＯＴＵフレームを生成する第２の信号処理部と、
前記第２の信号処理部で生成されたＯＴＵフレームの誤り訂正を行うとともに、前記第２の信号処理部で生成されたＯＴＵフレームから、前記特定の形式のデータを抽出する第２の信号変換部と、
前記第２の信号変換部で抽出された特定の形式のデータを前記第１の伝送レートで送信する第２の送信部と、を備えること
を特徴とする伝送システム。
【発明の詳細な説明】
【技術分野】
【０００１】
本発明は伝送システムに関し、特に、光ファイバーを用いて伝送を行う複数のトランスポンダを含む伝送システムに関する。
【背景技術】
【０００２】
従来から、トランスポンダを利用した伝送システムが使用されている。このような伝送システムでは、顧客伝送装置からの信号を伝送する際に、複数の局間にてトランスポンダを多段接続したネットワークパスが構築されている。【０００３】
局内に設置されているトランスポンダ間は局内向け通信であるため、トランスポンダの通信モジュールにはＸＦＰ（１０  Ｇｉｇａｂｉｔ  Ｓｍａｌｌ  Ｆｏｒｍ−Ｆａｃｔｏｒ  Ｐｌｕｇｇａｂｌｅ）、ＳＦＰ＋（Ｓｍａｌｌ  Ｆｏｒｍ−Ｆａｃｔｏｒ  Ｐｌｕｇｇａｂｌｅ  Ｐｌｕｓ）及びＣＦＰ（１００Ｇ  Ｆｏｒｍ−Ｆａｃｔｏｒ  Ｐｌｕｇｇａｂｌｅ）等が使用される。また、顧客伝送装置とトランスポンダとの間の信号の種類には、ＳＤＨ（Ｓｙｎｃｈｒｏｎｏｕｓ  Ｄｉｇｉｔａｌ  Ｈｉｅｒａｒｃｈｙ）、Ｅｔｈｅｒｎｅｔ（登録商標）及びＯＴＮ（Ｏｐｔｉｃａｌ  Ｔｒａｎｓｐｏｒｔ  Ｎｅｔｗｏｒｋ）等があり、伝送レートについても１０Ｇｂｐｓ、４０Ｇｂｐｓ及び１００Ｇｂｐｓ等の様々な種類のレートが混在している。【０００４】
ネットワークパスを構築する際には、トランスポンダの伝送レートは、顧客伝送装置の伝送レートに揃えるのが一般的である。ネットワークパスの運用中に、顧客伝送装置からトランスポンダに出力される信号の伝送レートが変更されると、その変更によって、トランスポンダ間の接続に問題が生じることがある。
このような場合でも、局内におけるトランスポンダにおいて、信号を複数のレーンに分割して送信することで、顧客伝送装置に接続されているトランスポンダを交換するのみで、伝送レートの変更に対応することができる場合がある。【０００５】
例えば、顧客伝送装置からの信号が１００Ｇｂｐｓの信号から１０Ｇｂｐｓの信号へ変更になった場合には、顧客伝送装置と接続される終端点のトランスポンダを１０Ｇｂｐｓのクライアントインターフェース対応のトランスポンダに変更し、局内間のトランスポンダがクライアントインターフェースにＯＴＵ４を用いることで、そのような変更に対応することができる。ＯＴＵ４はＩＴＵ−Ｔ（Ｉｎｔｅｒｎａｔｉｏｎａｌ  Ｔｅｌｅｃｏｍｍｕｎｉｃａｔｉｏｎ  Ｕｎｉｏｎ  Ｔｅｌｅｃｏｍｍｕｎｉｃａｔｉｏｎ  Ｓｔａｎｄａｒｄｉｚａｔｉｏｎ  Ｓｅｃｔｏｒ）勧告Ｇ．７０９にて規定されており、１０Ｇｂｐｓの信号を１０本収容することができ、１０Ｇｂｐｓの信号をトランスペアレントで伝送させることができる。【０００６】
ここで、複数のレーンに分割して信号を送信する技術として、Ｇ．７０９のａｎｎｅｘ  Ｃに定義されているＯＴＬ４．１０を使用する技術がある。ＯＴＬ４．１０は、ＯＴＵ４の信号をフレームの同期を検出するＦｒａｍｅ  ａｌｉｇｎｍｅｎｔ  ｓｉｇｎａｌ（ＦＡＳ）が先頭になるように、１０Ｇの信号を単位に分割して送信する。また、特許文献１に記載されているシステムは、ＦＡＳ領域にレーン識別できるデータを挿入して、任意のレーンに信号を分割している。
【先行技術文献】
【特許文献】
【０００７】
【特許文献１】特開２０１１−２２３４５４号公報
【発明の概要】
【発明が解決しようとする課題】
【０００８】
しかしながら、ＯＴＵ４でも、１０Ｇｂｐｓに対応したクライアントインターフェースで運用されているパスを１００Ｇｂｐｓに対応したクライアントインターフェースに変更する場合には、１００Ｇｂｐｓ信号をトランスペアレントで伝送させるために、パス上のすべてのトランスポンダを１００Ｇｂｐｓのクライアント用のトランスポンダに変更する必要がある。【０００９】
また、運用されているネットワークパスについて、運用とは異なるレートのクライアントインターフェースに変更した場合、Ｇ．７０９のａｎｎｅｘ  Ｃに定義されているＯＴＬを使用した場合には、２０  ＯＴＵフレームを受信して遅延量を補正するため、巨大なメモリを有した回路が必要になる。また、特許文献１に記載されているシステムにおいても、レートが異なる信号を合成させるため、巨大なメモリを有した回路が必要になる。【００１０】
そこで、本発明は、比較的小さなメモリで、伝送レートの変更に対応して、複数の光ファイバーを用いて信号を分割して伝送することができるようにすることを目的とする。
【課題を解決するための手段】
【００１１】
本発明の第１の態様に係る伝送システムは、第１の伝送レートで送信されてきた特定の形式のデータを受信する第１のトランスポンダ、及び、ｍ本（ｍは２以上の整数）の光ファイバーで前記第１のトランスポンダに接続されている第２のトランスポンダを含む伝送システムであって、前記第１のトランスポンダは、前記第１の伝送レートで送信されてきた特定の形式のデータを受信する第１の受信部と、前記第１の受信部で受信された特定の形式のデータを格納したＯＴＵフレームを生成する第１の信号変換部と、前記第１の信号変換部で生成されたＯＴＵフレームからＦＥＣデータを削除して、列方向に、予め定められたｍ個の格納フレームに分割し、当該ｍ個の格納フレームの各々において前記ＦＥＣデータが削除された領域に、前記ＯＴＵフレームにおける当該ｍ個の格納フレームの各々の配列位置を示すスキュー情報を付加することで、ｍ個の分割フレームを生成する第１の信号処理部と、前記第１の信号処理部で生成されたｍ個の分割フレームの各々を、第２の伝送レートで、前記ｍ本の光ファイバーの各々から前記第２のトランスポンダに送信する第１の送信部と、を備え、前記第２のトランスポンダは、前記第１の送信部から送信されたｍ個の分割フレームの各々を、前記ｍ本の光ファイバーの各々から受信する第２の受信部と、前記第２の受信部で受信されたｍ個の分割フレームの各々に含まれているスキュー情報を参照して、前記第２の受信部で受信されたｍ個の分割フレームの各々を結合したフレームを生成する第２の信号処理部と、前記第２の信号処理部で生成されたフレームから、前記特定の形式のデータを抽出する第２の信号変換部と、前記第２の信号変換部で抽出された特定の形式のデータを前記第１の伝送レートで送信する第２の送信部と、を備えることを特徴とする。【００１２】
本発明の第２の態様に係る伝送システムは、第１の伝送レートで送信されてきた特定の形式のデータを受信する第１のトランスポンダ、及び、ｍ本（ｍは２以上の整数）の光ファイバーで前記第１のトランスポンダに接続されている第２のトランスポンダを含む伝送システムであって、前記第１のトランスポンダは、前記第１の伝送レートで送信されてきた特定の形式のデータを受信する第１の受信部と、前記第１の受信部で受信された特定の形式のデータを格納したＯＴＵフレームを生成する第１の信号変換部と、前記第１の信号変換部で生成されたＯＴＵフレームを、列方向に、予め定められたｍ個の格納フレームに分割し、当該ｍ個の格納フレームの各々の末尾に、前記ＯＴＵフレームにおける当該ｍ個の格納フレームの各々の配列位置を示すスキュー情報を付加することで、ｍ個の分割フレームを生成する第１の信号処理部と、前記第１の信号処理部で生成されたｍ個の分割フレームの各々を、第２の伝送レートで、前記ｍ本の光ファイバーの各々から前記第２のトランスポンダに送信する第１の送信部と、を備え、前記第２のトランスポンダは、前記第１の送信部から送信されたｍ個の分割フレームの各々を、前記ｍ本の光ファイバーの各々から受信する第２の受信部と、前記第２の受信部で受信されたｍ個の分割フレームの各々に含まれているスキュー情報を参照して、前記第２の受信部で受信されたｍ個の分割フレームの各々を結合することによりＯＴＵフレームを生成する第２の信号処理部と、第２の信号処理部で生成されたＯＴＵフレームの誤り訂正を行うとともに、前記第２の信号処理部で生成されたＯＴＵフレームから、前記特定の形式のデータを抽出する第２の信号変換部と、前記第２の信号変換部で抽出された特定の形式のデータを前記第１の伝送レートで送信する第２の送信部と、を備えることを特徴とする。【００１３】
本発明の第３の態様に係る伝送システムは、第１の伝送レートで送信されてきた特定の形式のデータを受信する第１のトランスポンダ、及び、ｍ＋１本（ｍは２以上の整数）の光ファイバーで前記第１のトランスポンダに接続されている第２のトランスポンダを含む伝送システムであって、前記第１のトランスポンダは、前記第１の伝送レートで送信されてきた特定の形式のデータを受信する第１の受信部と、前記第１の受信部で受信された特定の形式のデータを格納したＯＴＵフレームを生成する第１の信号変換部と、前記第１の信号変換部で生成されたＯＴＵフレームを、列方向に、予め定められたｍ個のフレームに分割することで、ｍ個の分割フレームを生成するとともに、前記ＯＴＵフレームにおける当該ｍ個の分割フレームの各々の配列位置を示すスキュー情報を格納した１個のスキュー情報フレームを生成する第１の信号処理部と、前記第１の信号処理部で生成されたｍ個の分割フレームの各々及び１個のスキュー情報フレームを、第２の伝送レートで、前記ｍ＋１本の光ファイバーの各々から前記第２のトランスポンダに送信する第１の送信部と、を備え、前記第２のトランスポンダは、前記第１の送信部から送信されたｍ個の分割フレームの各々及び１個のスキュー情報フレームを、前記ｍ＋１本の光ファイバーの各々から受信する第２の受信部と、前記第２の受信部で受信されたスキュー情報フレームに格納されているスキュー情報を参照して、前記第２の受信部で受信されたｍ個の分割フレームの各々を結合することによりＯＴＵフレームを生成する第２の信号処理部と、前記第２の信号処理部で生成されたＯＴＵフレームの誤り訂正を行うとともに、前記第２の信号処理部で生成されたＯＴＵフレームから、前記特定の形式のデータを抽出する第２の信号変換部と、前記第２の信号変換部で抽出された特定の形式のデータを前記第１の伝送レートで送信する第２の送信部と、を備えることを特徴とする。
【発明の効果】
【００１４】
本発明の一態様によれば、ＯＴＵフレームに基づいて分割された各々の分割フレームに、ＯＴＵフレームにおける配列位置を示すスキュー情報が付加されているため、比較的小さなメモリで、伝送レートの変更に対応して、複数の光ファイバーを用いて信号を分割して伝送することができる。
【図面の簡単な説明】
【００１５】
【図１】実施の形態１〜４に係る伝送システムの概要図である。
【図２】実施の形態１及び２におけるトランスポンダの構成を概略的に示すブロック図である。
【図３】ＩＴＵ−Ｔ勧告Ｇ．７０９に定義されているフレーム形状を示す概略図である。
【図４】実施の形態１及び２における信号処理部の構成を概略的に示すブロック図である。
【図５】実施の形態１におけるデータ分割部での処理を説明するための概略図である。
【図６】実施の形態１における分割フレームを説明するための概略図である。
【図７】実施の形態１におけるトランスポンダのハードウェア構成の一例を示すブロック図である。
【図８】実施の形態２における分割フレームを説明するための概略図である。
【図９】実施の形態３及び４における信号処理部の構成を概略的に示すブロック図である。
【図１０】実施の形態３における分割フレームを説明するための概略図である。
【図１１】実施の形態４におけるトランスポンダの構成を概略的に示すブロック図である。
【図１２】実施の形態４における分割フレーム及びスキュー情報フレームを説明するための概略図である。
【発明を実施するための形態】
【００１６】
実施の形態１．
図１は、実施の形態１に係る伝送システム１００の概要図である。
伝送システム１００は、顧客伝送装置１１０と、トランスポンダ１２０と、トランスポンダ１３０と、トランスポンダ１４０と、トランスポンダ１５０と、顧客伝送装置１６０とを備える。
【００１７】
顧客伝送装置１１０から伝送される信号は、トランスポンダ１２０に入力され、トランスポンダ１２０から局外向けに出力させる。
トランスポンダ１３０に入力された信号は、局内向け通信によりトランスポンダ１４０に出力される。
トランスポンダ１４０に入力された信号は、局外向け通信によりトランスポンダ１５０に出力される。
トランスポンダ１５０に入力された信号は、顧客伝送装置１６０に出力される。
顧客伝送装置１１０から顧客伝送装置１６０までの通信は、ネットワークパス１７０で行われる。
【００１８】
なお、トランスポンダ１３０は、顧客伝送装置１１０に接続されているトランスポンダ１２０に接続されているが、トランスポンダ１３０の接続先は、このような例に限定されない。例えば、トランスポンダ１３０は、局外向け通信を行うことができる他の局内通信を行うトランスポンダに接続されていてもよい。
また、トランスポンダ１４０は、顧客伝送装置１６０に接続されているトランスポンダ１５０に接続されているが、トランスポンダ１４０の接続先は、このような例に限定されない。例えば、トランスポンダ１４０は、局外向け通信を行うことができる他の局内通信を行うトランスポンダに接続されていてもよい。
このような接続を行うことで、顧客伝送装置１１０から顧客伝送装置１６０までの間に、信号の分岐又は挿入を行う中継装置を多段に接続することができる。なお、図１では、トランスポンダ１３０及びトランスポンダ１４０が、このような中継装置を構成している。
【００１９】
図２は、トランスポンダ１３０及びトランスポンダ１４０の構成を概略的に示すブロック図である。
トランスポンダ１３０とトランスポンダ１４０とは、ｍ本（ｍは２以上の整数）の光ファイバー１０１＃１〜１０１＃ｍにより接続されている。
実施の形態１は、トランスポンダ１３０からトランスポンダ１４０に信号を送信する例を示す。ここで、送信側のトランスポンダ１３０を第１のトランスポンダ、受信側のトランスポンダ１４０を第２のトランスポンダともいう。
【００２０】
トランスポンダ１３０は、局外向けＩ／Ｆ部１３１と、信号変換部１３２と、信号処理部１３３と、通信Ｉ／Ｆ部１３４とを備える。
局外向けＩ／Ｆ部１３１は、局外向け通信を行うインターフェースである。ここでは、局外向けＩ／Ｆ部１３１は、トランスポンダ１２０からｋＧｂｐｓの伝送レートで送られてきた光信号を受信し、局外向け通信で使用されている特定の形式（第１の形式）のデータを示す電気信号に変換する。ここで、ｋは、予め定められた任意の数である。ここで、ｋＧｂｐｓの伝送レートを第１の伝送レートともいう。言い換えると、局外向けＩ／Ｆ部１３１は、第１の伝送レートで送信されてきた特定の形式のデータを受信する第１の受信部として機能する。
【００２１】
信号変換部１３２は、局外向けＩ／Ｆ部１３１から与えられた電気信号で示されるデータを、ｎＧｂｐｓの伝送レートで送信するためのデータ形式（第２の形式）のデータに格納することで、ｎＧｂｐｓの伝送レートで送信するためのデータを生成する第１の信号変換部である。ここで、ｎは、予め定められた任意の数である。ここで、ｎＧｂｐｓの伝送レートを第２の伝送レートともいう。
例えば、信号変換部１３２は、局外向けＩ／Ｆ部１３１から送られてきた電気信号で示されるデータを、ＩＴＵ−Ｔ勧告Ｇ．７０９によるＯＴＵのフレーム形状のペイロードに格納することで、ｎＧｂｐｓの伝送レートで送信するためのデータであるＯＴＵフレームを生成する。
【００２２】
図３は、ＩＴＵ−Ｔ勧告Ｇ．７０９に定義されているフレーム形状を示す概略図である。
図３に示されているように、ＯＴＵフレーム１０は、ＯＴＵ／ＯＤＵオーバーヘッド１１を格納するための領域Ｒ１と、ペイロード１２を格納するための領域Ｒ２と、ＦＥＣデータ１３を格納するための領域Ｒ３とを有する。
ＯＴＵ／ＯＤＵオーバーヘッド１１は、フレーム同期情報、性能情報及び監視情報を含むデータである。
ペイロード１２は、送信するデータである。
ＦＥＣデータ１３は、誤り発生時にエラー補正を行うためのＦｏｒｗａｒｄ  Ｅｒｒｏｒ  Ｃｏｒｒｅｃｔｉｏｎ（ＦＥＣ）のデータである。
【００２３】
図２に示されている信号処理部１３３は、信号変換部１３２により生成されたＯＴＵフレームを処理することで、ｎＧｂｐｓの伝送レートで送信するためのｍ個の分割フレームを生成する第１の信号処理部である。例えば、信号処理部１３３は、信号変換部１３２で生成されたＯＴＵフレームからＦＥＣデータを削除して、列方向に、予め定められたｍ個の格納フレームに分割する。そして、信号処理部１３３は、ｍ個の格納フレームの各々においてＦＥＣデータが削除された領域に、ＯＴＵフレームにおけるこれらｍ個の格納フレームの各々の配列位置を示すスキュー情報を付加することで、ｍ個の分割フレームを生成する。
【００２４】
図４は、信号処理部１３３の構成を概略的に示すブロック図である。
信号処理部１３３は、ＦＥＣデータ削除部１３３ａと、データ分割部１３３ｂと、スキュー情報付加部１３３ｃとを備える。
ＦＥＣデータ削除部１３３ａは、信号変換部１３２から与えられるＯＴＵフレーム１０において、ＦＥＣデータ１８３を削除する。そして削除後のフレームをデータ分割部１３３ｂに与える。
【００２５】
データ分割部１３３ｂは、ＦＥＣデータ削除部１３３ａから与えられたフレームを、予め定められたｍ個の格納フレームに分割する。
図５は、データ分割部１３３ｂでの処理を説明するための概略図である。
図５に示されているように、データ分割部１３３ｂは、ＦＥＣデータ削除部１３３ａから与えられたフレーム２０を、列方向において、予め定められたｍ個のフレームに分割することで、格納フレームを生成する。ここで分割された格納フレームは、ｎＧｂｐｓの伝送レートで送信するためのデータ形式になっている。
【００２６】
図４に示されているスキュー情報付加部１３３ｃは、データ分割部１３３ｂで生成された各々の格納フレームに、ＦＥＣデータ削除部１３３ａにおいて削除されたＦＥＣデータが格納されていた領域に、各々の格納フレームの配列位置を示すためのスキュー情報を付加することで、分割フレームを生成する。スキュー情報は、格納フレーム毎に、フレーム２０における配列位置を示す番号である。
図６は、分割フレームを説明するための概略図である。
図６に示されているように、分割フレームの各々には、ＯＴＵフレーム１０において、ＦＥＣデータ１８３が格納されていた領域に、スキュー情報が付加されている。
【００２７】
図２に示されている通信Ｉ／Ｆ部１３４は、フレーム処理を実施したｍ個の分割フレームをｍ個の光信号に変更し、ｍ個の光信号の各々をｍ本の光ファイバー１０１＃１〜１０１＃ｍの各々からトランスポンダ１４０に送信する第１の送信部として機能する。
例えば、通信Ｉ／Ｆ部１３４は、ｍ個の分割フレームの各々を光信号に変換するｍ個のクライアントモジュール１３５＃１〜１３５＃ｍから構成されている。
【００２８】
次に、受信側のトランスポンダ１４０について説明する。
図２に示されているように、トランスポンダ１４０は、通信Ｉ／Ｆ部１４１と、信号処理部１４３と、信号変換部１４４と、局外向けＩ／Ｆ部１４５とを備える。
通信Ｉ／Ｆ部１４１は、ｍ本の光ファイバー１０１＃１〜１０１＃ｍの各々からｍ個の光信号の各々を受光して、ｍ個の光信号をｍ個の分割フレームに変換することで、ｍ個の分割フレームを受信する第２の受信部である。この分割フレームは、ｎＧｂｐｓで送信するためのデータ形式になっている。
例えば、通信Ｉ／Ｆ部１４１は、ｍ個の光信号の各々を分割フレームに変換するｍ個のクライアントモジュール１４２＃１〜１４２＃ｍから構成されている。
【００２９】
信号処理部１４３は、通信Ｉ／Ｆ部１４１から与えられるｍ個の分割フレームの各々に含まれているスキュー情報を参照して、通信Ｉ／Ｆ部１４１から与えられるｍ個の分割フレームの各々を結合したフレームを生成する第２の信号処理部である。例えば、信号処理部１４３は、通信Ｉ／Ｆ部１４１から与えられるｍ個の分割フレームを、各々分割フレームに付加されているスキュー情報を参照して、通信Ｉ／Ｆ１３４と通信Ｉ／Ｆ部１４１との間の伝送で発生した遅延量を計算し、分割フレームからスキュー情報を削除して、データレーンを整列させる。そして、信号処理部１４３は、データレーンの整列後に、格納フレームを結合させることで、図５に示されているフレーム２０を生成する。ここで、フレーム２０は、ｎＧｂｐｓの伝送レートで送信するためのデータ形式になっている。
【００３０】
信号変換部１４４は、信号処理部１４３から与えられたフレーム２０を解析して、フレーム２０のペイロードに格納されている、局外向け通信で使用されている特定の形式のデータを抽出する第２の信号変換部である。そして、抽出されたデータを示す電気信号を局外向けＩ／Ｆ部１４５に与える。ここでの電気信号は、局外向け通信で使用されているｋＧｂｐｓで送信するための信号である。
【００３１】
局外向けＩ／Ｆ部１４５は、局外向け通信を行うインターフェースである。ここでは、局外向けＩ／Ｆ部１４５は、信号変換部１４４から与えられた、局外向け通信で使用されているｋＧｂｐｓの伝送レートの電気信号を光信号に変換する。そして、局外向けＩ／Ｆ部１４５は、ｋＧｂｐｓの伝送レートで、変換された光信号をトランスポンダ１５０に送信する。言い換えると、局外向けＩ／Ｆ部１４５は、信号変換部１４４で抽出された特定の形式のデータを、第１の伝送レートであるｋＧｂｐｓで送信する第２の送信部である。
【００３２】
以上のように、送信側のトランスポンダ１３０における信号処理部１３３は、ＯＴＵフレーム１０内のＦＥＣデータ１３のみを削除するため、ＯＴＵ／ＯＤＵオーバーヘッド１１を維持したまま、ｋＧｂｐｓの電気信号は、ｎＧｂｐｓの電気信号に格納されて、分割される。そして、受信側のトランスポンダ１３０の信号処理部１４３で、オーバーヘッド１１及びペイロード１２が復元されるため、オーバーヘッド１１に処理を加えることなくトランスぺアレントな通信が可能になる。
【００３３】
以上に記載されたトランスポンダ１３０、１４０は、例えば、図７に示されているように、単一回路、複合回路、プログラム化したプロセッサ、並列プログラム化したプロセッサ、ＡＳＩＣ（Ａｐｐｌｉｃａｔｉｏｎ  Ｓｐｅｃｉｆｉｃ  Ｉｎｔｅｇｒａｔｅｄ  Ｃｉｒｃｕｉｔｓ）又はＦＰＧＡ（Ｆｉｅｌｄ  Ｐｒｏｇｒａｍｍａｂｌｅ  Ｇａｔｅ  Ａｒｒａｙ）等を有する処理回路１８０で構成することができる。
【００３４】
実施の形態１では、ｍ個の分割フレームの各々がスキュー情報を有しているため、受信側のトランスポンダ１４０の信号処理部１４３は、１個のＯＴＵフレームから分割されたｍ個の分割フレームを受信すれば遅延量の計算とデータレーンの整列とを行うことができる。このため、トランスポンダ１３０及びトランスポンダ１４０は、ＯＴＬを使用する従来の技術よりも小さいメモリを用いた処理回路１８０で実現することができる。
【００３５】
以上により、局内間のトランスポンダ１３０及びトランスポンダ１４０にてフレーム処理を実施することで、終端点のトランスポンダ１２０及びトランスポンダ１５０のみ顧客伝送装置１１０から送信される信号の伝送レートに合わせたクライアント用トランスポンダに置き換えることで、局内間のトランスポンダ１３０及びトランスポンダ１４０は運用中のトランスポンダを使用したまま、顧客伝送装置１１０から送信されるクライアントデータの伝送レートが変わっても、そのデータを伝送することができる。
【００３６】
実施の形態２．
図１に示されているように、実施の形態２に係る伝送システム２００は、顧客伝送装置１１０と、トランスポンダ１２０と、トランスポンダ２３０と、トランスポンダ２４０と、トランスポンダ１５０と、顧客伝送装置１６０とを備える。
実施の形態２に係る伝送システム２００における顧客伝送装置１１０、トランスポンダ１２０、トランスポンダ１５０及び顧客伝送装置１６０は、実施の形態１における伝送システム１００と同様に構成されている。
【００３７】
図２に示されているように、実施の形態２におけるトランスポンダ２３０は、局外向けＩ／Ｆ部１３１と、信号変換部１３２と、信号処理部２３３と、通信Ｉ／Ｆ部１３４とを備える。
実施の形態２におけるトランスポンダ２３０の局外向けＩ／Ｆ部１３１、信号変換部１３２及び通信Ｉ／Ｆ部１３４は、実施の形態１におけるトランスポンダ１３０と同様に構成されている。
【００３８】
図４に示されているように、実施の形態２における信号処理部２３３は、ＦＥＣデータ削除部１３３ａと、データ分割部１３３ｂと、スキュー情報付加部２３３ｃとを備える。
実施の形態２における信号処理部２３３のＦＥＣデータ削除部１３３ａ及びデータ分割部１３３ｂは、実施の形態１における信号処理部１３３と同様に構成されている。
【００３９】
スキュー情報付加部２３３ｃは、データ分割部１３３ｂで生成された各々の格納フレームから、その誤り検出符号であるｂｉｔ  ｉｎｔｅｒｌｅａｖｅｄ  ｐａｒｉｔｙ（ＢＩＰ−８）の計算を実施する。そして、スキュー情報付加部２３３ｃは、例えば、図８に示されているように、データ分割部１３３ｂで生成された各々の格納フレームにおいて、ＦＥＣデータ削除部１３３ａにおいて削除されたＦＥＣデータが格納されていた領域に、誤り検出符号（ＢＩＰ-８）及びスキュー情報を付加することで、分割フレームを生成する。
【００４０】
図２に示されているように、実施の形態２におけるトランスポンダ２４０は、通信Ｉ／Ｆ部１４１と、信号処理部２４３と、信号変換部１４４と、局外向けＩ／Ｆ部１４５とを備える。
実施の形態２におけるトランスポンダ２４０の通信Ｉ／Ｆ部１４１、信号変換部１４４及び局外向けＩ／Ｆ部１４５は、実施の形態１におけるトランスポンダ１４０と同様に構成されている。
【００４１】
実施の形態２における信号処理部２４３は、通信Ｉ／Ｆ部１４１から与えられるｍ個の分割フレームを、各々分割フレームに付加されている誤り検出符号を用いて、誤り検出を行う。
また、信号処理部２４３は、通信Ｉ／Ｆ部１４１から与えられるｍ個の分割フレームを、各々分割フレームに付加されているスキュー情報を参照して、通信Ｉ／Ｆ１３４と通信Ｉ／Ｆ部１４１との間の伝送で発生した遅延量を計算し、分割フレームから誤り検出符号及びスキュー情報を削除して、データレーンを整列させる。そして、信号処理部２４３は、データレーンの整列後に、格納フレームを結合させることで、図５に示されているフレーム２０を生成する。ここで、フレーム２０は、ｎＧｂｐｓの伝送レートで送信するためのデータ形式となっている。
【００４２】
以上のように、実施の形態２では、誤り検出符号を付加することにより、通信Ｉ／Ｆ１３４と通信Ｉ／Ｆ部１４１との間の伝送中に発生するエラー数を算出することができる。このため、実施の形態２は、通信の伝送品質を調査することが可能になる。
【００４３】
実施の形態３．
図１に示されているように、実施の形態３に係る伝送システム３００は、顧客伝送装置１１０と、トランスポンダ１２０と、トランスポンダ３３０と、トランスポンダ３４０と、トランスポンダ１５０と、顧客伝送装置１６０とを備える。
実施の形態３に係る伝送システム３００における顧客伝送装置１１０、トランスポンダ１２０、トランスポンダ１５０及び顧客伝送装置１６０は、実施の形態１における伝送システム１００と同様に構成されている。
【００４４】
図２に示されているように、実施の形態３におけるトランスポンダ３３０は、局外向けＩ／Ｆ部１３１と、信号変換部１３２と、信号処理部３３３と、通信Ｉ／Ｆ部１３４とを備える。
実施の形態３におけるトランスポンダ３３０の局外向けＩ／Ｆ部１３１、信号変換部１３２及び通信Ｉ／Ｆ部１３４は、実施の形態１におけるトランスポンダ１３０と同様に構成されている。
【００４５】
信号処理部３３３は、信号変換部１３２で生成されたＯＴＵフレームを、列方向に、予め定められたｍ個の格納フレームに分割し、これらのｍ個の格納フレームの各々の末尾に、ＯＴＵフレームにおけるこれらのｍ個の格納フレームの各々の配列位置を示すスキュー情報を付加することで、ｍ個の分割フレームを生成する第１の信号処理部である。
【００４６】
図９は、信号処理部３３３の構成を概略的に示すブロック図である。
信号処理部３３３は、データ分割部３３３ｂと、スキュー情報付加部３３３ｃとを備える。
実施の形態３における信号処理部３３３では、ＯＴＵフレーム１０から、ＦＥＣデータ１８３を削除しない。
【００４７】
データ分割部３３３ｂは、信号変換部１３２から与えられるＯＴＵフレーム１０を、予め定められたｍ個の格納フレームに分割する。ここで分割された格納フレームは、ｎＧｂｐｓの伝送レートで送信するためのデータ形式となっている。
【００４８】
スキュー情報付加部３３３ｃは、図１０に示されているように、データ分割部１３３ｂで生成された各々の格納フレームに、スキュー情報を付加することで、分割フレームを生成する。
【００４９】
図２に示されているように、実施の形態３におけるトランスポンダ３４０は、通信Ｉ／Ｆ部１４１と、信号処理部３４３と、信号変換部３４４と、局外向けＩ／Ｆ部１４５とを備える。
実施の形態３におけるトランスポンダ３４０の通信Ｉ／Ｆ部１４１及び局外向けＩ／Ｆ部１４５は、実施の形態１におけるトランスポンダ１４０と同様に構成されている。
【００５０】
実施の形態２における信号処理部３４３は、通信Ｉ／Ｆ部１４１から与えられるｍ個の分割フレームの各々に含まれているスキュー情報を参照して、これらのｍ個の分割フレームの各々を結合することによりＯＴＵフレームを生成する第２の信号処理部である。
例えば、信号処理部３４３は、通信Ｉ／Ｆ部１４１から与えられるｍ個の分割フレームを、各々分割フレームに付加されているスキュー情報を参照して、通信Ｉ／Ｆ１３４と通信Ｉ／Ｆ部１４１との間の伝送で発生した遅延量を計算し、分割フレームからスキュー情報を削除して、データレーンを整列させる。そして、信号処理部２４３は、データレーンの整列後に、格納フレームを結合させることで、図３に示されているＯＴＵフレーム１０を生成する。ここで、ＯＴＵフレーム１０は、ｎＧｂｐｓの伝送レートで送信するためのデータ形式になっている。
【００５１】
信号変換部３４４は、信号処理部３４３から与えられたＯＴＵフレーム１０に含まれているＦＥＣデータ１３を用いて、ＯＴＵフレーム１０の誤り訂正を行う。
そして、信号変換部３４４は、誤り訂正後のＯＴＵフレーム１０を解析して、ペイロード１２に格納されている、局外向け通信で使用されている特定の形式のデータを抽出する。そして、抽出されたデータを示す電気信号を局外向けＩ／Ｆ部１４５に与える。
【００５２】
以上のように、実施の形態３では、受信側で復元されるにＯＴＵフレーム１０にＦＥＣデータ１３が含まれているため、局内間の伝送中にデータ誤りが発生した場合にエラー補正をすることが可能である。
また、実施の形態３は、実施の形態１と比べるとＦＥＣデータ１３を削除していないため、クライアントモジュールから出力される信号の伝送レートはあがるが、ＦＥＣデータを削除する回路が不要になるため、回路規模を小さくすることが可能になる。
【００５３】
実施の形態４．
図１に示されているように、実施の形態４に係る伝送システム４００は、顧客伝送装置１１０と、トランスポンダ１２０と、トランスポンダ４３０と、トランスポンダ４４０と、トランスポンダ１５０と、顧客伝送装置１６０とを備える。
実施の形態４に係る伝送システム４００における顧客伝送装置１１０、トランスポンダ１２０、トランスポンダ１５０及び顧客伝送装置１６０は、実施の形態１における伝送システム１００と同様に構成されている。
【００５４】
図１１は、実施の形態４におけるトランスポンダ４３０及びトランスポンダ４４０の構成を概略的に示すブロック図である。
ここで、実施の形態４におけるトランスポンダ４３０及びトランスポンダ４４０は、ｍ＋１本の光ファイバーで接続されている。
トランスポンダ４３０は、局外向けＩ／Ｆ部１３１と、信号変換部１３２と、信号処理部４３３と、通信Ｉ／Ｆ部４３４とを備える。
実施の形態４におけるトランスポンダ４３０の局外向けＩ／Ｆ部１３１及び信号変換部１３２は、実施の形態１におけるトランスポンダ１３０と同様に構成されている。
【００５５】
実施の形態４における信号処理部４３３は、信号変換部１３２から与えられるＯＴＵフレームを、列方向に、予め定められたｍ個のフレームに分割することで、ｍ個の分割フレームを生成するとともに、そのＯＴＵフレームにおけるこれらのｍ個の分割フレームの各々の配列位置を示すスキュー情報を格納した１個のスキュー情報フレームを生成する第１の信号処理部である。
【００５６】
図９に示されているように、実施の形態４における信号処理部４３３は、データ分割部３３３ｂと、スキュー情報付加部４３３ｃとを備える。
実施の形態４における信号処理部４３３のデータ分割部３３３ｂは、実施の形態３における信号処理部３３３と同様に構成されている。
【００５７】
スキュー情報付加部４３３ｃは、データ分割部３３３ｂで生成された各々の格納フレームの配列位置を示すスキュー情報を含むスキュー情報フレームを生成する。そして、スキュー情報付加部４３３ｃは、図１２に示されているように、データ分割部３３３ｂで生成されたｍ個の格納フレームをｍ個の分割フレームとし、その分割フレームにスキュー情報フレームＦＬ＃を付加した、ｍ＋１個のフレームを通信Ｉ／Ｆ部４３４に与える。ここで、スキュー情報フレームには、予め定められた順番で、予め定められた分割フレームのスキュー情報が格納されているものとする。
【００５８】
図１１に示されている通信Ｉ／Ｆ部４３４は、フレーム処理を実施したｍ個の分割フレーム及び１個のスキュー情報フレームをｍ＋１個の光信号に変更し、ｍ＋１個の光信号を、ｍ＋１本の光ファイバー１０１＃１〜１０１＃ｍ＋１からトランスポンダ４４０に送信する。
例えば、通信Ｉ／Ｆ部４３４は、ｍ個の分割フレームの各々及び１個のスキュー情報フレームを光信号に変換するｍ＋１個のクライアントモジュール４３５＃１〜４３５＃ｍ＋１から構成されている。
【００５９】
図１１に示されているように、実施の形態４におけるトランスポンダ４４０は、通信Ｉ／Ｆ部４４１と、信号処理部４４３と、信号変換部３４４と、局外向けＩ／Ｆ部１４５とを備える。
実施の形態４におけるトランスポンダ４４０の信号変換部３４４は、実施の形態３におけるトランスポンダ３４０と同様に構成されている。
実施の形態４におけるトランスポンダ４４０の局外向けＩ／Ｆ部１４５は、実施の形態１におけるトランスポンダ１４０と同様に構成されている。
【００６０】
実施の形態４における通信Ｉ／Ｆ部４４１は、ｍ＋１本の光ファイバー１０１＃１〜１０１＃ｍ＋１からｍ＋１個の光信号を受信して、ｍ個の光信号をｍ個の分割フレームに変換するとともに、残りの１個の光信号をスキュー情報フレームに変換する。この分割フレームは、ｎＧｂｐｓの伝送レートで送信するデータ形式になっている。
例えば、通信Ｉ／Ｆ部４４１は、ｍ個の光信号の各々を分割フレームに変換するｍ個のクライアントモジュール４４２＃１〜４４２＃ｍと、残りの１個の光信号をスキュー情報フレームに変換するクライアントモジュール４４２＃ｍ＋１とから構成されている。
【００６１】
実施の形態４における信号処理部４４３は、通信Ｉ／Ｆ部４４１から与えられるスキュー情報フレームに格納されているスキュー情報を参照して、通信Ｉ／Ｆ部４４１から与えられるｍ個の分割フレームの各々を結合することによりＯＴＵフレームを生成する第２の信号処理部である。
例えば、信号処理部４４３は、通信Ｉ／Ｆ部４４１から与えられるｍ個の分割フレームを、通信Ｉ／Ｆ部４４１から与えられるスキュー情報フレームに含まれているスキュー情報を参照して、通信Ｉ／Ｆ４３４と通信Ｉ／Ｆ部４４１との間の伝送で発生した遅延量を計算し、データレーンを整列させる。そして、信号処理部２４３は、データレーンの整列後に、分割フレームを結合させることで、図３に示されているＯＴＵフレーム１０を生成する。ここで、ＯＴＵフレーム１０は、ｎＧｂｐｓの伝送レートで送信するためのデータ形式になっている。
なお、データレーンの整列後にスキュー情報は不要になるため、信号処理部４４３は、その情報を破棄する。
【００６２】
以上のように、実施の形態４は、上記の実施の形態３と同様に、分割フレーム中にＦＥＣデータ１３を含んでいるため、受信側のトランスポンダ４４０で誤り訂正を行うことができる。一方で、実施の形態４は、通信Ｉ／Ｆ部４３４から出力されるフレームの伝送レートを、実施の形態３よりも低くすることが可能になる。
【符号の説明】
【００６３】
１００，２００，３００，４００  伝送システム、  １０１  光ファイバー、  １１０  顧客伝送装置、  １２０  トランスポンダ、  １３０，２３０，３３０，４３０  トランスポンダ、  １３１  局外向けＩ／Ｆ部、  １３２  信号変換部、  １３３，２３３，３３３，４３３  信号処理部、  １３３ａ  ＦＥＣデータ削除部、  １３３ｂ  データ分割部、  １３３ｃ，２３３ｃ，４３３ｃ  スキュー情報付加部、  １３４，４３４  通信Ｉ／Ｆ部、  １３５，４３５  クライアントモジュール、  １４０，２４０，３４０，４４０  トランスポンダ、  １４１，４４１  通信Ｉ／Ｆ部、  １４２，４４２  クライアントモジュール、  １４３，２４３，３４３，４４３  信号処理部、  １４４，３４４  信号変換部、  １４５  局外向けＩ／Ｆ部、  １５０  トランスポンダ、  １６０  顧客伝送装置、  １８０  処理回路。
【図１】
2017154135.tif 000003
【図２】
2017154135.tif 000004
【図３】
2017154135.tif 000005
【図４】
2017154135.tif 000006
【図５】
2017154135.tif 000007
【図６】
2017154135.tif 000008
【図７】
2017154135.tif 000009
【図８】
2017154135.tif 000010
【図９】
2017154135.tif 000011
【図１０】
2017154135.tif 000012
【図１１】
2017154135.tif 000013
【図１２】
2017154135.tif 000014
【国際調査報告】
2017154135.tif 000015
2017154135.tif 000016
2017154135.tif 000017
2017154135.tif 000018